(57)【要約】【課題】鉄塔に鳥が広い範囲で営巣することを防止する鳥害防止装置を提供する。【解決手段】鳥害防止装置１０は、外管１、内管２、風車３、及び複数の弾性ピン４を備える。外管１は、鉄塔Ｔを構成する略水平方向に延びるアングル部材Ｌと略平行に配置される。内管２は、外管１と同軸上に配置されて回動可能に両端支持される。風車３は、内管２の一方の端部に取り付けられる。複数の弾性ピン４は、基端部が内管２の軸方向に連設され、先端部が外管１の外周を超えて遠心方向に突出する長さを有する。外管１は、弾性ピン４が上部に突出するように、中心から所定の角度で開角した長穴１１を有する。長穴１１から飛び出して跳ねた弾性ピン４が外管１に運ばれた営巣材料に接触して振動を与える、又は排除することができる。【選択図】図１
2012019755.tif 000002
【特許請求の範囲】
【請求項１】
鉄塔を構成する略水平方向に延びるアングル部材と略平行に配置された外管と、
この外管と同軸上に配置されて回動可能に両端支持される内管と、
この内管の一方の端部に取り付けられた風車と、
基端部が前記内管の軸方向に連設され、先端部が前記外管の外周を超えて遠心方向に突出する長さを有する複数の弾性ピンと、を備え、
前記外管は、前記弾性ピンが上部に突出するように中心から所定の角度で開角した長穴を有し、
前記内管が回転すると、前記弾性ピンは、前記外管の内壁に当接して湾曲した状態と前記外管の長穴から突出した状態とを交互に繰り返す鳥害防止装置。
【請求項２】
前記弾性ピンは、絶縁性を有する請求項１記載の鳥害防止装置。
【請求項３】
前記弾性ピンが前記外管の長穴の一方の端縁に衝突して衝撃音を発生する請求項１又は２記載の鳥害防止装置。
【請求項４】
前記弾性ピンは、その基端部が前記内管に交換可能にロックされている請求項１から３のいずれかに記載の鳥害防止装置。
【請求項５】
先端部が前記外管の両端部に固定された一対の支持棒と、
前記支持棒の基端部を着脱自在に固定すると共に、前記アングル部材を挟持する一組の係止具と、を更に備える請求項１から４のいずれかに記載の鳥害防止装置。
【発明の詳細な説明】
【技術分野】
【０００１】
本発明は、鳥害防止装置に関する。特に、送電線用の鉄塔に鳥が営巣することに起因する地絡事故などを防止する鳥害防止装置の構造に関する。
【背景技術】
【０００２】
例えば、電力を送電・配電する鉄塔には、カラスなどが営巣することが知られている。カラスは、ハンガーや針金を使用し、枯れ枝と一緒に積み重ねて巣を作る。したがって、針金などの営巣材料が電線などに触れて漏電又は地絡する事例が発生している。そして、鳥害を防ぐために、カラスなどの鳥を威嚇して、鉄塔に寄せ付けない対策が要望されている。
【０００３】
上述した対策として、不規則に作動し、かつその装着を簡単に実施できる鳥害防止装置が開示されている（例えば、特許文献１参照）。特許文献１による鳥害防止装置は、特別高圧送電鉄塔などの構築物における鳥害防止装置であって、構築物を形成する鉄塔材などの構築材に装着する固定具に耐蝕性のスプリングをスプリング軸線が上下方向に位置するように設けると共に、スプリングの上端部にスプリングを中心として放射状に複数本の揺動自在の細線材を設けている。
【０００４】
特許文献１による鳥害防止装置は、特別高圧送電鉄塔などに装着することで、鳥、特にカラスによる害を防止でき、鉄塔材（アングル部材）に固定具を装着することで、固定具に取り付けたスプリングと、その上端部に設けられている放射状の細線材が風又は鳥との接触によって揺動し、かつ、「スプリングの揺れ」と「放射状の細線材の揺れ」とが相乗的に作用し、不規則的な揺れとなるため、カラスなどの接近してくる鳥の慣れが少なく、長期間に渡って、鳥害防止を行えるように作用する、としている。
【先行技術文献】
【特許文献】
【０００５】
【特許文献１】実開平６−６６２４７号公報
【発明の概要】
【発明が解決しようとする課題】
【０００６】
しかしながら、特許文献１による鳥害防止装置は、略水平方向に延びる長尺の鉄塔材に部分的に配置されており、特許文献１による鳥害防止装置を取り付けた場所から離れたところの場所で、鳥の営巣を排除することは困難と考えられる。
【０００７】
略水平方向に延びる鉄塔材にカラスなどの鳥が比較的広い範囲で営巣できないように、鳥害防止装置を構成すれば、従来の鳥害防止装置と比べて、鳥の営巣を排除することに効果が期待できる。そして、以上のことが本発明の課題といってよい。
【０００８】
本発明は、このような課題に鑑みてなされたものであり、略水平方向に延びる鉄塔材にカラスなどの鳥が比較的広い範囲で営巣することが困難な鳥害防止装置を提供することを目的とする。
【課題を解決するための手段】
【０００９】
本発明者は、略水平方向に延びる鉄塔材と略平行に二重管を配置し、二重管の内管を風車で回転できるように構成すると共に、内管に弾性ピンを突出させ、この弾性ピンが外管に運ばれた営巣材料に接触して振動を与える、又は排除することにより、これらの課題が解決可能なことを見出し、これに基づいて、以下のような新たな鳥害防止装置を発明するに至った。
【００１０】
（１）本発明による鳥害防止装置は、鉄塔を構成する略水平方向に延びるアングル部材と略平行に配置された外管と、この外管と同軸上に配置されて回動可能に両端支持される内管と、この内管の一方の端部に取り付けられた風車と、基端部が前記内管の軸方向に連設され、先端部が前記外管の外周を超えて遠心方向に突出する長さを有する複数の弾性ピンと、を備え、前記外管は、前記弾性ピンが上部に突出するように中心から所定の角度で開角した長穴を有し、前記内管が回転すると、前記弾性ピンは、前記外管の内壁に当接して湾曲した状態と前記外管の長穴から突出した状態とを交互に繰り返す。
【００１１】
（２）前記弾性ピンは、絶縁性を有することが好ましい。
【００１２】
（３）前記弾性ピンが前記外管の長穴の一方の端縁に衝突して衝撃音を発生することが好ましい。
【００１３】
（４）前記弾性ピンは、その基端部が前記内管に交換可能にロックされていることが好ましい。
【００１４】
（５）本発明による鳥害防止装置は、先端部が前記外管の両端部に固定された一対の支持棒と、前記支持棒の基端部を着脱自在に固定すると共に、前記アングル部材を挟持する一組の係止具と、を更に備える。
【発明の効果】
【００１５】
本発明による鳥害防止装置は、略水平方向に延びる鉄塔材（アングル部材）と略平行に二重管を配置し、二重管の内管を風車で回転できるように構成すると共に、内管に弾性ピンを突出させ、この弾性ピンが外管に運ばれた営巣材料に接触して振動を与える、又は排除するので、カラスなどの鳥が比較的広い範囲で営巣することが困難である。
【図面の簡単な説明】
【００１６】
【図１】本発明の一実施形態による鳥害防止装置の構成を示す斜視図である。
【図２】前記実施形態による鳥害防止装置の背面図であり、要部を縦断面で示している。
【図３】前記実施形態による鳥害防止装置の縦断面図である。
【図４】前記実施形態による鳥害防止装置に備わる内管及び弾性ピンの斜視図であり、図４（Ａ）は、一組の弾性ピンを内管に取り付ける前の状態図、図４（Ｂ）は、一組の弾性ピンを内管に取り付けた状態図である。
【図５】前記実施形態による鳥害防止装置の背面図であり、図１から図３に示された一組の係止具と異なる一組の係止具を使用している。
【図６】前記実施形態による鳥害防止装置が配置された鉄塔の正面図である。
【発明を実施するための形態】
【００１７】
以下、図面を参照して本発明を実施するための形態を説明する。
［鳥害防止装置の構成］
最初に、本発明の一実施形態による鳥害防止装置の構成を説明する。図１は、本発明の一実施形態による鳥害防止装置の構成を示す斜視図である。図２は、前記実施形態による鳥害防止装置の背面図であり、要部を縦断面で示している。
【００１８】
又、図３は、前記実施形態による鳥害防止装置の縦断面図である。図４は、前記実施形態による鳥害防止装置に備わる内管及び弾性ピンの斜視図であり、図４（Ａ）は、一組の弾性ピンを内管に取り付ける前の状態図、図４（Ｂ）は、一組の弾性ピンを内管に取り付けた状態図である。
【００１９】
更に、図５は、前記実施形態による鳥害防止装置の背面図であり、図１から図３に示された一組の係止具と異なる一組の係止具を使用している。図６は、前記実施形態による鳥害防止装置が配置された鉄塔の正面図である。
【００２０】
図６を参照すると、本発明の実施形態による鳥害防止装置１０は、複数の鋼材が骨組みされた鉄塔Ｔに設置されている。実施形態による鉄塔Ｔは、略水平方向に延びる複数のチャンネル状のアングル部材Ｌを有している。
【００２１】
図１から図３を参照すると、鳥害防止装置１０は、外管１、内管２、及び風車３を備えている。外管１は、アングル部材Ｌと略平行に配置されている。内管２は、外管１と同軸上に配置されている。又、内管２は、回動可能に両端支持されている。風車３は、内管２の一方の端部に取り付けられている。
【００２２】
図３を参照すると、外管１は、その両管端の内部に雌ねじが形成されている。一方、一組のベアリングホルダ１ａ・１ｂの外周には、雄ねじが形成されている。これらのベアリングホルダ１ａ・１ｂは、スパナなどの工具で回すための頭部１１ａ・１１ｂをそれぞれ突出している。そして、ベアリングホルダ１ａ・１ｂを外管１の両管端に螺合して、外管１の両管端を封止できる。
【００２３】
図３を参照すると、ベアリングホルダ１ａ・１ｂは、それぞれベアリング１ｃを内装している。内管２の一方の端部には、回転軸２ａを固定している。回転軸２ａは、回転可能にベアリング１ｃに支持されている。回転軸２ａの先端部には、着脱自在に風車３を取り付けている。
【００２４】
図３を参照すると、内管２の他方の端部には、回転軸２ｂを固定している。回転軸２ｂは、回転可能にベアリング１ｃに支持されている。これらの回転軸２ａ・２ｂは、段付き軸となっており、内管２をラジアル方向（円周方向）に回転可能に支持すると共に、内管２がスラスト方向（軸方向）に容易に移動しないように支持している。
【００２５】
図１から図３を参照すると、風車３は、ボス３ａと複数の羽根３ｂで構成している。ボス３ａは、回転軸２ａの先端部に固定されている。複数の羽根３ｂは、ボス３ａから放射状に延びている。風車３は、回転軸が水平状態に設置される水平軸風車となっている。風車３が風を受けると、内管２を回転できる。
【００２６】
図１から図４を参照すると、実施形態による鳥害防止装置１０は、複数の弾性ピン４を備えている。弾性ピン４の基端部は、内管２の外周に取り付けられている。弾性ピン４の先端部は、外管１の外周を超えて遠心方向に突出する長さを有している。
【００２７】
図１から図４を参照すると、一対の弾性ピン４・４は、内管２の同一円周上に相反する向きに突出している。又、一対の弾性ピン４・４は、内管２の軸方向に連設されている。外管１は、弾性ピン４が上部に突出するように、中心から所定の角度で開角した長穴１１を有している。
【００２８】
図２を参照すると、一対の弾性ピン４・４の内、一方の弾性ピン４は、外管１の内壁に当接して湾曲（弾性変形）している。一対の弾性ピン４・４の内、他方の弾性ピン４は、長穴１１から突出している（図１参照）。
【００２９】
図２を参照して、内管２が回転すると、湾曲した一方の弾性ピン４が長穴１１の位置に至り、弾性復帰できる。そして、弾性ピン４が長穴１１から突出する。更に、内管２が回転すると、一方の弾性ピン４が長穴１１の端縁を乗り越えて、再び、外管１の内壁に当接して湾曲する。
【００３０】
このように、内管２が回転すると、同一円周上に配置された一対の弾性ピン４・４は、外管１の内壁に当接して湾曲した状態と外管１の長穴１１から突出した状態とを交互に繰り返す。
【００３１】
図４を参照すると、弾性ピン４は、比較的長尺の弾性ピン部４１と比較的短尺の嵌合ピン部４２を有している。弾性ピン部４１と嵌合ピン部４２とは、同軸であるが相反する向きに突出している。
【００３２】
図２から図４を参照すると、内管２は、その中心を貫通するように、一対の対向する嵌合穴２１・２１を開口している。嵌合ピン部４２を嵌合穴２１に挿入すると、弾性ピン４の立設位置を規定できる。
【００３３】
図４を参照すると、一対の帯状の円弧部材２ｃ・２ｃが内管２の外壁に接合している。そして、一対の嵌合穴２１・２１の外方を囲うように、これらの円弧部材２ｃ・２ｃの端縁同士が間隙幅Ｗ１を有して配置されている。一方、弾性ピン４は、一対の円弧部材２ｃ・２ｃの間隙に挿入可能な鍔部４３を基端部側に有している。
【００３４】
図４を参照すると、鍔部４３は、一対の円弧部４３ａ・４３ａと一対の延出部４３ｂ・４３ｂを形成している。一対の円弧部４３ａ・４３ａは、所定の直径を有している。一対の延出部４３ｂ・４３ｂは、相反する向きに延出している。延出部４３ｂの幅Ｗ２は、一対の円弧部材２ｃ・２ｃの間隙幅Ｗ１より僅かに狭くなっており、かつ、一対の円弧部４３ａ・４３ａの直径より小さくなっている。
【００３５】
図４を参照すると、弾性ピン４は、鍔部４３に連続する段差部４４を形成している。段差部４４は、円弧部４３ａと同じ直径を有する一対の円弧部４４ａ・４４ａを外周に形成している。又、段差部４４は、延出部４３ｂの幅Ｗ２と略同じ幅を有する一対の弦部４４ｂ・４４ｂを外周に形成している。
【００３６】
図４を参照すると、一対の円弧部材２ｃ・２ｃの端縁同士は、一対の対向する円弧溝２１ｃ・２１ｃを形成している。これらの円弧溝２１ｃ・２１ｃの直径は、一対の円弧部４３ａ・４３ａ及び一対の円弧部４４ａ・４４ａの直径より僅かに大きく形成されている。
【００３７】
図４（Ａ）に示された状態から、鍔部４３の底面が内管２の外壁に当接するように、嵌合ピン部４２を嵌合穴２１に挿入し、次に、弾性ピン４を略９０度回動すると、図４（Ｂ）に示された状態になる。
【００３８】
図４（Ｂ）を参照すると、一対の円弧部材２ｃ・２ｃの端部は、一対の延出部４３ｂ・４３ｂの板厚より僅かに大きい間隙ｔを形成するように、内壁が切り欠かれている。弾性ピン４を略９０度回動すると、一対の延出部４３ｂ・４３ｂは、一対の円弧部材２ｃ・２ｃの内壁と内管２の外壁に矯正されて弾性変形する。つまり、弾性ピン４が内管２に係止（ロック）される。
【００３９】
図４を参照して、弾性ピン４を前述と反対方向に略９０度回動すると、弾性ピン４を内管２から取り外すことができる。このように、弾性ピン４は、その基端部が内管２に交換可能にロックされている。
【００４０】
図１から図３を参照すると、実施形態による鳥害防止装置１０は、一対の支持棒５１・５１を更に備えている。支持棒５１は、その基端部側に雄ねじ５１１を形成している。又、支持棒５１は、円弧板５１ａを先端部に固定している。そして、一対の円弧板５１ａ・５１ａが外管１の両端部にビスなどの締結具で固定されている。
【００４１】
図１から図３を参照すると、実施形態による鳥害防止装置１０は、アングル部材Ｌを挟持する一組の係止具５２・５３を更に備えている。係止具５２は、一片５２ａと他片５２ｂとでＬ字状に形成されている。係止具５２の一片５２ａは、支持棒５１の基端部側が入る穴（図示せず）を開口している。そして、一片５２ａは、この穴に支持棒５１が挿入され、雄ねじ５１１に螺合する一対のナット５ｎ・５ｎで挟持されている。
【００４２】
図１から図３を参照すると、係止具５２の他片５２ｂは、Ｕ字状の溝を設けて反転する反転片５２ｃを更に有している。そして、アングル部材Ｌの一片が反転片５２ｃに係止されている。
【００４３】
図１から図３を参照すると、係止具５３は、帯板状に形成された一片５３ａを有している。係止具５３の一片５３ａは、支持棒５１の基端部側が入る長穴５３２を開口している。係止具５３は、支持棒５１に対して、移動可能に連結している。又、係止具５３の一片５３ａは、波状の襞５３１を底面に形成している。そして、この襞５３１に嵌合する波状の襞を有するワッシャ５４を介して、一片５３ａは、長穴５３２に支持棒５１が挿入され、雄ねじ５１１に螺合する一対のナット５ｎ・５ｎで挟持されている。
【００４４】
図１から図３を参照すると、係止具５３の一片５３ａは、Ｕ字状の溝を設けて反転する反転片５３ｂを他方の端部に有している。そして、アングル部材Ｌの他片が反転片５３ｂに係止されている。
【００４５】
送電線を支持する鉄塔Ｔ（図６参照）などに使用されるアングル部材Ｌは、一般的に、その断面サイズ（一辺の長さ×他辺の長さ×板厚）が（４５ｍｍ×４５ｍｍ×４ｍｍ）〜（７５ｍｍ×７５ｍｍ×６ｍｍ）の範囲である。そして、一組の係止具５２・５３は、これらの断面サイズに適合できるように、一対のナット５ｎ・５ｎの取り付け位置などが調整でき、汎用性を有している。
【００４６】
次に、図５を参照して、図１から図３に示された一組の係止具５２・５３と異なる構成の係止具６の構成を説明する。なお、図５の説明において、図１から図４に示された符号と同じ符号の構成品は、その作用を同一とするので、説明を割愛する場合がある。
【００４７】
図５を参照すると、実施形態による鳥害防止装置１０は、アングル部材Ｌを挟持する一組の係止具６１・６２を更に備えている。係止具６１は、中央部が台形状に突出した帯板で形成されている。又、係止具６１の両端部には、穴（図示せず）が開口されている。
【００４８】
図５を参照すると、係止具６１の一方の穴には、支持棒５１が挿入され、係止具６１の端部は、一対のナット５ｎ・５ｎで挟持されている。係止具６１の他方の穴には、ボルト６ａが挿入され、係止具６１の端部は、一対のナット５ｎ・５ｎで挟持されている。つまり、ボルト６ａの径と支持棒５１の径は同じである。
【００４９】
図５を参照すると、係止具６２は、平坦な帯板で形成されている。又、係止具６２の両端部には、雄ねじ５１１又はボルト６ａが螺合可能な雌ねじ（図示せず）を設けている。係止具６２の一方の雌ねじには、支持棒５１が螺合され、係止具６１の端部は、一対のナット５ｎ・５ｎで挟持されている。係止具６２の他方の雌ねじには、ボルト６ａが螺合されている。
【００５０】
図５を参照すると、一対のナット５ｎ・５ｎの取り付け位置を調整することにより、係止具６も、（４５ｍｍ×４５ｍｍ×４ｍｍ）〜（７５ｍｍ×７５ｍｍ×６ｍｍ）の断面サイズのアングル部材Ｌに適合できるように、汎用性を有している。
【００５１】
［鳥害防止装置の作用］
次に、実施形態による鳥害防止装置１０の作用及び効果を説明する。図１から図６を参照すると、実施形態による鳥害防止装置１０は、略水平方向に延びるアングル部材Ｌと略平行に、外管１と内管２で構成された二重管を配置している。そして、内管２を風車３で回転できるように構成している。又、実施形態による鳥害防止装置１０は、内管２が回転すると、弾性ピン４は、外管１の内壁に当接して湾曲した状態と外管１の長穴１１から突出した状態とを交互に繰り返す。
【００５２】
図１から図５を参照すると、風車３に風が当たり内管２が回転すると、弾性ピン４は、外管１の内壁に当接して湾曲した状態から外管１の長穴１１から突出した状態に変化する。そして、長穴１１から飛び出して跳ねた弾性ピン４が外管１に運ばれた営巣材料に接触して振動を与える、又は排除することができる。これにより、アングル部材Ｌと略平行に配置された外管１に営巣することを防止できる。つまり、カラスなどの鳥が比較的広い範囲で営巣することを防止できる。
【００５３】
又、図１から図５を参照すると、実施形態による鳥害防止装置１０は、弾性ピン４が外管１の長穴１１の一方の端縁に衝突して衝撃音を発生するように構成しているので、カラスなどの鳥を寄せ付けないようにする威嚇効果がある。
【００５４】
図１から図５を参照すると、外管１及び内管２は、軽量のアルミニウムなどで構成することが好ましい。弾性ピン４は、電気的に絶縁性を有する合成樹脂で成形されることが好ましく、飛散した弾性ピン４が送電線に短絡することを防止できる。
【００５５】
図１から図５を参照すると、弾性ピン４は、外管１の長穴１１を介して交換することができ、容易に飛散しないように、内管２にロックされている。弾性ピン４は、消耗品と考えられ、実施形態による鳥害防止装置１０は、弾性ピン４を容易に交換できるよう構成している。
【００５６】
図６に示されるように、実施形態による鳥害防止装置１０は、鉄塔Ｔの全てのアングル部材Ｌに設置することが好ましい。実施形態による鳥害防止装置１０は、自然エネルギーである風力を利用しているので、エコロジカルである。高い構造物である鉄塔Ｔは、風が吹く度合いが多く、実施形態による鳥害防止装置１０を設置するには、最適であり、鳥などの営巣に起因する電気事故を防止できる。
【００５７】
又、実施形態による鳥害防止装置１０は、鉄塔Ｔのアングル部材Ｌを挟持する一組の係止具を更に備え、これらの係止具は、想定される全てのサイズのアングル部材Ｌに適合できるフリーサイズとなっている。
【符号の説明】
【００５８】
１  外管
２  内管
３  風車
４  弾性ピン
１０  鳥害防止装置
１１  長穴
Ｌ  アングル部材
Ｔ  鉄塔
【図１】
2012019755.tif 000003
【図２】
2012019755.tif 000004
【図３】
2012019755.tif 000005
【図４】
2012019755.tif 000006
【図５】
2012019755.tif 000007
【図６】
2012019755.tif 000008